(57)【要約】【課題】スクリーン取付部のような構成部品取付部としての強度を低下かさせることなく、薄型化を実現する。【解決手段】携帯通信端末装置としての携帯電話機１０は、受信情報を表示する表示部を備える第１筐体１と、情報入力キーが配置されている操作部を備える第２筐体２とが、ヒンジ部３を介して開閉可能に結合された構成において、第１筐体１には開口部４が形成されるとともに、第１筐体１の内面には開口部４の周縁に沿いかつ開口部４内に突出する板金から成る無端形状の枠体（構成部品取付部）５が、熱かしめにより直接に固定される。【選択図】図３
2009212988.tif 000002
【特許請求の範囲】
【請求項１】
受信情報を表示する表示部を備える第１筐体と、情報入力キーが配置された操作部を備える第２筐体とが開閉可能に構成され、前記表示部は、前記両筐体が開いたときに前記受信情報を前記第１筐体の正面側に表示する主表示部と、前記両筐体が閉じたときに前記受信情報を前記第１筐体の背面側に表示する副表示部とから成り、前記第１筐体の前記正面側あるいは前記背面側の少なくとも一方に構成部品取付部を備えて、該構成部品取付部の外側面に第１構成部品が取付けられるとともに、前記構成部品取付部の内側面に第２構成部品が配置される携帯通信端末装置であって、
前記構成部品取付部は、前記外側面が前記第１筐体に直接に固定手段により取付けられた板金から成ることを特徴とする携帯通信端末装置。
【請求項２】
前記固定手段が、熱かしめあるいはネジ留めであることを特徴とする請求項１記載の携帯通信端末装置。
【請求項３】
前記第１構成部品が接着剤を介して前記構成部品取付部の前記外側面に取付けられる一方、前記第２構成部品が緩衝材を介して前記構成部品取付部の前記内側面に配置されることを特徴とする請求項１又は２記載の携帯通信端末装置。
【請求項４】
前記第１構成部品がスクリーンである一方、前記第２構成部品が表示素子であることを特徴とする請求項１、２又は３記載の携帯通信端末装置。
【請求項５】
前記第２構成部品が前記表示素子に代えて、カメラであることを特徴とする請求項４記載の携帯通信端末装置。
【請求項６】
前記第１構成部品がシート材である一方、前記第２構成部品がスピーカであることを特徴とする請求項１、２又は３記載の携帯通信端末装置。
【発明の詳細な説明】
【技術分野】
【０００１】
この発明は、携帯通信端末装置に係り、詳しくは、表示部を備える第１筐体と操作部を備える第２筐体とが開閉可能に構成され、両筐体の少なくとも一方にスクリーン取付部のような構成部品取付部を備えて、この構成部品取付部の外側面に第１構成部品が取付けられるとともに、その構成部品取付部の内側面に第２構成部品が配置される携帯通信端末装置に関する。
【背景技術】
【０００２】
携帯通信端末装置の代表である携帯電話機は、文字情報又は画像情報を表示する表示部（主表示部及び副表示部）を備える第１筐体と、テンキー等の複数の情報入力キーが配置されている操作部を備える第２筐体とが、ヒンジ部を介して開閉可能に結合された構成のものが広く使用されている。このような構成の携帯電話機では、両筐体が開いている使用時は第１筐体の正面側に備える主表示部で受信情報を確認することができ、使用時以外は両筐体を閉じて一体に折り畳むことで全体の小型化が図られている。また、両筐体が閉じられている状態で受信した場合には、第１筐体の背面側に備える副表示部で相手の電話番号などの受信情報を確認できるように構成されている。このような第１筐体の正面側及び背面側にそれぞれ備えられている主表示部及び副表示部は、液晶表示素子（ＬＣＤ:Ｌｉｑｕｉｄ  Ｃｒｙｓｔａｌ  Ｄｉｓｐｌａｙ）や有機Ｅｌ（Ｅｌｅｃｔｒｏ‐Ｌｕｍｉｎｅｓｃｅｎｃｅ）素子などの表示素子を用いて構成されている。
【０００３】
ところで、最近の携帯電話機ではより携帯性に富むように、上述したような小型化だけでなく、薄型化が望まれており、そのためにメーカではミリ単位以下での薄型化の実現を競っている。ここで、正面スクリーンや表示素子などの電気部品の薄型化には限界があり、携帯電話機の薄型化、強度確保が困難になってきている。
【０００４】
図９は、従来の携帯電話機の概略構成を示す断面図、図１０は同携帯電話機の概略構成を示す斜視図である。同携帯電話機１００は、図９及び図１０に示すように、モールド樹脂などから成る例えば上側筐体である第１筐体１０１の一部が内側方向に屈曲されたスクリーン取付部１０２を備え、このスクリーン取付部１０２の外側面には両面テープ１０３を介して透明材から成るスクリーン１０４が取付けられる一方、その内側面にはクッション材１０５を介して例えばＥＬ素子から成る表示素子（背面表示素子）１０６が配置されている。この表示素子１０６は、第１筐体１０１の図示しない位置に取付けられて、クッション材１０５を押上げるように配置されている。なお、この従来例では、第１筐体１０１の背面側に備えられた副表示部となる背面表示素子について示している。ここで、スクリーン取付部１０２は一定の強度を確保する必要があり、その厚さは一例として０．６〜０．７ｍｍに形成される。図１０は上側筐体１０１を表示素子１０が取付けられる側から見た概略構成を示している。
【０００５】
ここで、携帯電話機の薄型化を図ることを目的として、筐体に液晶表示素子を取付けるためのネジボスを不要にした構成の携帯電話機が開示されている（特許文献１）。また、カメラの光軸のずれを防止するようにした構成のカメラ付き携帯電話機が開示されている（特許文献２）。さらに、パネルスピーカ構造を備えた携帯電話機を対象とし、落下などの衝撃による保護パネルの脱落を未然に防止するとともに、パネルスピーカ構造による音質を大幅に向上させるようにした構成の携帯電話機が開示されている（特許文献３）。この特許文献３に開示されている携帯電話機２００は、図１１に示すように、機器筐体２０４の内部に収容設置されてＬＣＤ装置２０６を実装する基板２０５に、板金から形成されて保護パネル２０７の周縁部に倣った枠形状を呈する支持フレーム２０９を設置し、この支持フレーム２０９にサスペンション部材２１０を介して保護パネル２０７を保持するとともに、機器筐体２０４に保護パネル２０７の外方向における周縁部を全周に亘って覆うフランジ２０４ｆを形成している。ここで、保護パネル２０７は、クッション部材２１２を介して機器筐体２０４のフランジ２０４ｆに取付けられている。
【特許文献１】特開２０００−２２３８５８号公報
【特許文献２】特開２００６−３３３３７３号公報
【特許文献３】特開２００６−３５２７６２号公報
【０００６】
なお、特許文献１には、携帯電話機の薄型化を実現する１つの解決手段が開示されているが、本願発明で必須の要件としているスクリーン取付部のような構成部品取付部は示されておらず、したがって、構成部品取付部が薄型化に影響するという課題を解決する手段は開示されていない。
特許文献２には、カメラ付き携帯電話機におけるカメラの光軸のずれを防止する構成が示されているが、特許文献１と同様に、本願発明で必須の要件としているスクリーン取付部のような構成部品取付部は示されておらず、構成部品取付部が薄型化に影響するという課題を解決する手段は開示されていない。
【０００７】
特許文献３には、図１１に示したように、本願発明におけるスクリーン取付部に相当すると思われる支持フレーム２０９が示され、この支持フレーム２０９を板金から形成することが開示されている。しかしながら、その支持フレーム２０９は、本願発明のように筐体に直接に取付けられてはおらずに、サスペンション部材２１０、クッション部材２１２及び保護パネル２０７を介して筐体２０４のフランジ２０４ｆに取付けられている。しかも、熱かしめあるいはネジ留めによる固定手段によることなく、３つの部材２１０、２１２、２０７による経路を介して取付けられている。本願発明において、このように板金を筐体に直接にではなく複数の部材から成る経路を介して間接に取付けた場合には、携帯電話機を不注意で落下させるなどして衝撃を加えた場合、あるいは長期間使用している場合、その経路の複数の部材のいずれかが劣化する可能性が高くなるのは避けられず、そのため各部材の強度が低下するのが否めなくなる。この結果として、板金が筐体から剥れ易くなるだけでなく、スクリーンも板金から剥れ易くなるので、信頼性の高い製品を提供するのが困難になる。したがって、本願発明では、スクリーン取付部のような構成部品取付部を筐体に、複数の部材から成る経路を介して間接にではなく、直接に取付けることが必要になる。
【発明の開示】
【発明が解決しようとする課題】
【０００８】
ところで、従来の携帯通信端末装置では、筐体の一部を構成部品取付部として用いているが、この構成部品取付部は一定の強度を確保するのに足る程度の厚さが必要になるので、構成部品取付部の厚さが薄型化に影響を与えるという問題がある。
すなわち、携帯通信端末装置の代表である従来の携帯電話機１００では、図９及び図１０に示したように、第１筐体１０１の一部を内側方向に屈曲してスクリーン取付部１０２として用いているが、スクリーン取付部１０２として一定の強度を確保しなければならない理由で、その厚さはあまり薄くできないという制約があるので、結果的に携帯電話機の薄型化を妨げる要因となっている。
【０００９】
この発明は、上述の事情に鑑みてなされたもので、スクリーン取付部のような構成部品取付部としての強度を低下させることなく、薄型化を実現することができるようにした携帯通信端末装置を提供することを目的としている。
【課題を解決するための手段】
【００１０】
上記課題を解決するために、この発明の構成は、受信情報を表示する表示部を備える第１筐体と、情報入力キーが配置された操作部を備える第２筐体とが開閉可能に構成され、前記表示部は、前記両筐体が開いたときに前記受信情報を前記第１筐体の正面側に表示する主表示部と、前記両筐体が閉じたときに前記受信情報を前記第１筐体の背面側に表示する副表示部とから成り、前記第１筐体の前記正面側あるいは前記背面側の少なくとも一方に構成部品取付部を備えて、該構成部品取付部の外側面に第１構成部品が取付けられるとともに、前記構成部品取付部の内側面に第２構成部品が配置される携帯通信端末装置に係り、前記構成部品取付部は、前記外側面が前記第１筐体に直接に固定手段により取付けられた板金から成ることを特徴としている。
【発明の効果】
【００１１】
このように、この発明の構成によれば、携帯電話機を構成する第１筐体の正面側あるいは背面側の少なくとも一方にスクリーン取付部のような構成部品取付部を備え、この構成部品取付部は、外側面が第１筐体に直接に熱かしめあるいはネジ留めなどの固定手段により取付けられた板金から成るので、板金の剛性が高い特性を活かすことにより、スクリーン取付部のような構成部品取付部の強度を低下させることなく、薄型化を実現することができる。
【発明を実施するための最良の形態】
【００１２】
携帯通信端末装置としての携帯電話機１０は、受信情報を表示する表示部を備える第１筐体１と、情報入力キーが配置されている操作部を備える第２筐体２とが、ヒンジ部３を介して開閉可能に結合された構成において、第１筐体１には開口部４が形成されるとともに、第１筐体１の内面には開口部４の周縁に沿いかつ開口部４内に突出する板金から成る無端形状の枠体５が、熱かしめにより直接に固定される
【実施形態１】
【００１３】
図１は、この発明の実施形態１である携帯電話機の概略構成を示す斜視図、図２は同携帯電話機の概略構成を示す断面図、図３は同携帯電話機の主要部の拡大構造を示す断面図、図４は同携帯電話機の概略構成を示す斜視図である。なお、本実施形態１では、第１筐体の背面側に副表示部となる背面表示素子を備える例で示している。
この実施形態１の携帯電話機１０は、図１〜図４に示すように、文字情報又は画像情報を表示する表示部（主表示部及び副表示部）を備える例えばモールド樹脂から成る第１筐体１と、テンキー等の複数の情報入力キーが配置されている操作部を備える例えばモールド樹脂から成る第２筐体２とが、ヒンジ部３を介して開閉可能に結合された構成において、第１筐体１には開口部４が形成されるとともに、第１筐体１の内面には、開口部４の周縁に沿いかつ開口部４内に突出する板金から成る無端形状の枠体（構成部品取付部）５が、図３の拡大構造から明らかなように、熱かしめにより直接に固定されている。符号６は熱かしめ部である。
【００１４】
この枠体５による熱かしめ部６は、図４に示すように、枠体５の無端形状の長さ方向に沿って複数の個所に設けられて、十分な取付強度が得られるように配慮される。枠体５を構成する板金の材料は、例えばＳＵＳ（Ｓｔｅｅｌ  ｓｐｅｃｉａｌ  Ｕｓｅ  Ｓｔａｉｎｌｅｓｓ）が用いられて、一例として０．２５〜０．３５ｍｍの厚さに形成される。ここで、構成部品取付部としての役割を担う枠体５を構成している板金は剛性が高い特性を有しているので、枠体５の強度は従来の構成部品取付部を構成していた第１筐体のモールド樹脂の強度よりも大きい。したがって、従来よりも薄い厚さの枠体５を用いても、従来と略同じあるいはそれより大きい十分な強度を確保することができる。しかも、固定手段として優れている熱かしめにより第１筐体１に枠体５を直接に固定しているので、板金の高剛性をそのまま活かした枠体５を得ることができる。
【００１５】
上側筐体１に直接に固定された枠体５は、スクリーン取付部としての役割を担い、この枠体５の外側面には例えばアクリルのような透明材から成るスクリーン７が両面テープ（接着剤）８を介して取付けられる。一方、その枠体５の内側面には枠体５と略同形状である無端形状のクッション材９を介して例えば有機ＥＬから成る背面表示素子（副表示部）１１が配置される。この背面表示素子１１は、第１筐体１の図示しない位置に取付けられて、クッション材９を押上げるように配置されている。
【００１６】
このような構成により、両筐体１、２が閉じられている状態で受信した場合にも、副表示部としての背面表示素子１１をスクリーン７を通じて見ることにより、相手の電話番号などの受信情報を確認することができる。クッション材９は、背面発光素子１１により枠体５が直接に押上げられない（接触しない）ように作用する緩衝材としての役割を担うとともに、背面発光素子１１とスクリーン７との間の空間に塵埃などが侵入しないように作用する防塵材としての役割を担っている。なお、図４において、符号１２は第１筐体１の内面に形成されたリブで、第１筐体１の強度を確保するなどの役目を果たしている。
【００１７】
このように、本実施形態１による携帯電話機１０の構成によれば、受信情報を表示する表示部を備える第１筐体１と、情報入力キーが配置されている操作部を備える第２筐体２とが、ヒンジ部３を介して開閉可能に結合された構成において、第１筐体１には開口部４が形成されるとともに、第１筐体１の内面には開口部４の周縁に沿いかつ開口部４内に突出する板金から成る無端形状の枠体５が、熱かしめにより直接に固定されるので、板金の高い剛性を活かすことにより、薄い厚さの枠体５を用いても十分な強度を確保することができる。
したがって、スクリーン取付部のような構成部品取付部としての強度を低下させることなく、薄型化を実現することができる。
【実施形態２】
【００１８】
図５は、この発明の実施形態２である携帯電話機の主要部の拡大構造を示す断面図である。この実施形態２の携帯電話機の構成が、上述の実施形態１のそれと大きく異なるところは、板金から成る枠体の固定手段を変更するようにした点である。
すなわち、本実施形態２の携帯電話機１５は、図５に示すように、第１筐体１の内面には開口部４の周縁に沿いかつ開口部４内に突出する板金から成る無端形状の枠体５が、ネジ１３を用いたネジ留め部１４により直接に固定されている。そして、実施形態１で図３に示したのと同様に、ネジ留め部１４は枠体５の無端形状の長さ方向に沿って複数の個所に設けられて、十分な取付強度が得られるように配慮される。このようにネジ留めにより枠体５を第１筐体１に直接に固定した例では、固定個所が損傷したような場合にネジ１３を交換することが可能なので、リぺア性に富んでいるという利点が得られる。
これ以外は、上述した実施形態１と略同様である。それゆえ、図５において、図４の構成部分と対応する各部には、同一の番号を付してその説明を省略する。
【００１９】
このように、実施形態２による携帯電話機１５によれば、板金から成る枠体の第１筐体に対する固定手段が異なるだけなので、実施形態１と略同様な効果を得ることができ、加えてリピア性に富んでいるという効果を得ることができる。
【実施形態３】
【００２０】
図６は、この発明の実施形態３である携帯電話機の概略構成を示す断面図である。この実施形態３の携帯電話機の構成が、上述の実施形態１のそれと大きく異なるところは、第１筐体の主表示部を備える正面側に板金から成る枠体を取付けるとともに、枠体の内側面に表示素子に代えてカメラを取付けるようにした点である。
すなわち、本実施形態３の携帯電話機２０は、図６に示すように、第１筐体１には開口部４Ａが形成されるとともに、第１筐体１の内面には開口部４Ａの周縁に沿いかつ開口部４Ａ内に突出する板金から成る無端形状の枠体５Ａが、熱かしめにより直接に固定されている。また、この枠体５Ａの外側面には例えばアクリルのような透明材から成るスクリーン７Ａが両面テープ８Ａを介して取付けられる一方、その枠体５Ａの内側面には枠体５Ａと略同形状で無端形状のクッション材９Ａを介してカメラ１６が取付けられる。
【００２１】
このように、実施形態３による携帯電話機２０によれば、第１筐体の正面側に板金から成る枠体を取付けてこの枠体の内側面にカメラを取付けた点が異なるだけなので、実施形態１と略同様な効果を得ることができる。
【実施形態４】
【００２２】
図７は、この発明の実施形態４である携帯電話機の概略構成を示す断面図である。この実施形態４の携帯電話機の構成が、上述の実施形態１のそれと大きく異なるところは、第１筐体の主表示部を備える正面側に板金から成る枠体を取付けるとともに、スクリーンに代えてシート材を取付け、かつ表示素子に代えてスピーカを取付けるようにした点である。
すなわち、本実施形態４の携帯電話機２５は、図７に示すように、第１筐体１には開口部４Ａが形成されるとともに、第１筐体１の内面には開口部４Ａの周縁に沿いかつ開口部４Ａ内に突出する板金から成る無端形状の枠体５Ａが、熱かしめにより直接に固定されている。また、この枠体５Ａの外側面にはスピーカ用ネットのようなシート材１７が両面テープ８Ａを介して取付けられるとともに、その枠体５Ａの内側面には枠体５Ａと略同形状で無端形状のクッション材９Ａを介してスピーカ１８が取付けられる。
【００２３】
このように、実施形態４による携帯電話機２５によれば、第１筐体の正面側に板金から成る枠体を取付けてこの枠体の外側面及び内側面にそれぞれシート材及びスピーカを取付けた点が異なるだけなので、実施形態１と略同様な効果を得ることができる。
【実施形態５】
【００２４】
図８は、この発明の実施形態５である携帯電話機の概略構成を示す断面図である。この実施形態５の携帯電話機の構成が、上述の実施形態１のそれと大きく異なるところは、第１筐体の主表示部を備える正面側に板金から成る枠体を取付けるとともに、枠体の内側面にＬＣＤから成る正面表示素子を取付けるようにした点である。
すなわち、本実施形態５の携帯電話機３０は、図８に示すように、第１筐体１には開口部４Ａが形成されるとともに、第１側筐体１の内面には開口部４Ａの周縁に沿いかつ開口部４Ａ内に突出する板金から成る無端形状の枠体５Ａが、熱かしめにより直接に固定されている。また、この枠体５Ａの内側面には枠体５Ａと略同形状で無端形状のクッション材９Ａを介してＬＣＤから成る正面表示素子（主表示部）１９が取付けられる。
【００２５】
このように、実施形態５による携帯電話機３０によれば、第１筐体の正面側に板金から成る枠体を取付けてこの枠体の内側面にＬＣＤから成る正面表示素子を取付けた点が異なるだけなので、実施形態１と略同様な効果を得ることができる。
【００２６】
以上、この発明の実施形態を図面により詳述してきたが、具体的な構成はこの実施形態に限られるものではなく、この発明の要旨を逸脱しない範囲の設計の変更等があってもこの発明に含まれる。例えば、各実施形態では携帯通信端末装置として携帯電話機に例を挙げて説明したが、これに限らずに、例えばＰＤＡ（Ｐｅｒｓｏｎａｌ  Ｄｉｇｉｔａｌ  Ａｓｓｉｓｔａｎｔ）などのような他の携帯通信端末装置全般に対しても適用することができる。また、構成部品取付部としての枠体を構成する板金はステンレス板を用いる例で説明したが、高剛性の材料であればこれに限らずに鋼板、アルミニウム板、銅板などの他の材料を用いることもできる。また、実施形態の説明で示したステンレス板の厚さ寸法は一例を示したものであり、目的、用途などに応じて任意に変更することができる。また、枠体を筐体に直接に固定する固定手段としての熱かしめあるいはネジ留めは、第１筐体の正面側あるいは背面側のいずれ側にも適用することもできる。また、第１筐体の正面側あるいは背面側の少なくとも一方に表示素子を配置する場合には、任意の表示素子を任意の側に配置することができる。また、固定手段としては、熱かしめあるいはネジ留めに限らずに、両面テープなどの接着剤を用いることも可能である。
【図面の簡単な説明】
【００２７】
【図１】この発明の実施形態１である携帯電話機の概略構成を示す斜視図である。
【図２】同携帯電話機の概略構成を示す断面図である。
【図３】同携帯電話機の主要部の拡大構造を示す断面図である。
【図４】同携帯電話機の概略構成を示す斜視図である。
【図５】この発明の実施形態２である携帯電話機の主要部の拡大構造を示す断面図である。
【図６】この発明の実施形態３である携帯電話機の概略構成を示す断面図である。
【図７】この発明の実施形態４である携帯電話機の概略構成を示す断面図である。
【図８】この発明の実施形態５である携帯電話機の概略構成を示す断面図である。
【図９】従来の携帯電話機の概略構成を示す断面図である。
【図１０】従来の携帯電話機の概略構成を示す斜視図である。
【図１１】従来の携帯電話機の概略構成を示す断面図である。
【符号の説明】
【００２８】
１      第１筐体
２      第２筐体
３      ヒンジ部
４、４Ａ      開口部
５、５Ａ      枠体（構成部品取付部）
６、６Ａ      熱かしめ部
７、７Ａ      スクリーン
８、８Ａ      両面テープ（接着剤）
９、９Ａ      クッション材（緩衝材）
１０、１５，２０、２５、３０      携帯電話機（携帯通信端末装置）
１１      背面表示素子（副表示部）
１２      リブ
１３      ネジ
１４      ネジ留め部
１６      カメラ
１７      シート材
１８      スピーカ
１９      正面表示素子（主表示部）
【図１】
2009212988.tif 000003
【図２】
2009212988.tif 000004
【図３】
2009212988.tif 000005
【図４】
2009212988.tif 000006
【図５】
2009212988.tif 000007
【図６】
2009212988.tif 000008
【図７】
2009212988.tif 000009
【図８】
2009212988.tif 000010
【図９】
2009212988.tif 000011
【図１０】
2009212988.tif 000012
【図１１】
2009212988.tif 000013